(57)【要約】      （修正有）【課題】脚柱部に座体の高さ調整用の係合部が形成された椅子において、該係合部を利用してアームレストを脚柱部に簡単に取り付けるようにし、アームレストの高さ調整ができる安価な椅子を提供する。【解決手段】脚柱部５ａには座体２の高さ調整用のスリット形の係合部５ｃが形成されており、アームレスト３を係合部５ｃとの係止部を有する取付部材７により脚柱部５ａに着脱可能に取り付ける。アームレスト取付部材７は、脚柱部５ａを挟持する一対の固定金具７ａ，７ｂからなり、一方の固定金具７ａをアームレスト３に固定し、他方の固定金具７ｂと締着して脚柱部５ａを挟持する。各固定金具は、脚柱部５ａを挟持する切欠部７ｃを有しており、一方の固定金具７ｂの切欠部７ｃに脚柱部５ａの係合部５ｃに係入する係止部を形成する。【選択図】図２
0003149740.tif 000002
【実用新案登録請求の範囲】
【請求項１】
脚柱部に座体の高さ調整用の係合部が形成された椅子において、
アームレストを、前記座体高さ調整用係合部との係止部を有するアームレスト取付部材により前記脚柱部に着脱可能に取り付けたことを特徴とする椅子。
【請求項２】
前記脚柱部の座体高さ調整用の係合部は、該脚柱部の高さ方向に複数形成されたスリットであることを特徴とする請求項１に記載の椅子。
【請求項３】
前記アームレスト取付部材は、前記脚柱部を挟持する一対の固定金具からなり、一方の固定金具を前記アームレストに固定し、該固定金具と他方の固定金具と締着して前記脚柱部を挟持することを特徴とする請求項１又は２に記載の椅子。
【請求項４】
前記アームレスト取付部材の各固定金具は、前記脚柱部を挟持する切欠部を有しており、一方の固定金具の切欠部に、前記脚柱部の座体高さ調整用係合部に係入する係止部を形成したことを特徴とする請求項３に記載の椅子。
【請求項５】
前記脚柱部は、座体を支持する上部杆部と該上下杆部を摺動可能に挿入する下部杆部からなり、前記上部杆部に前記座体高さ調節用の係合部が形成されていることを特徴とする請求項１〜４のいずれかに記載の椅子。
【請求項６】
前記アームレストは、下端部に前記脚柱部との連結部を一体形成したフレーム体であり、該連結部に前記一方の固定金具を固定したことを特徴とする請求項３〜５のいずれかに記載の椅子。
【請求項７】
前記座体は、左右両側部に前記脚柱部が立設された支持脚体で支持されていることを特徴とする請求項１〜６のいずれかに記載の椅子。
【請求項８】
前記アームレストの内側に補助パットを着脱可能に取り付けることを特徴とする請求項１〜７のいずれかに記載の椅子。
【請求項９】
前記アームレストの上面部に肘掛部材を着脱可能に取り付けることを特徴とする請求項１〜８のいずれかに記載の椅子。
【考案の詳細な説明】
【技術分野】
【０００１】
本考案は、座体を支持する脚柱部の所定高さ位置に、アームレストを簡易に取り付けられるようにした椅子に関する。
【背景技術】
【０００２】
座体の側部にアームレスト（肘掛フレーム）を設けた椅子が広く知られている。アームレストの取り付け構造の一例として、特許文献１には、座体を支持する側部支持杆に肘掛フレーム取付部を設け、この取付部に凹部を形成するとともに、肘掛フレームの下端部に前記凹部と補形をなす凸部を形成し、これら凹凸部を嵌合させてネジ止めする構造が開示されている。
【０００３】
また、アームレストの高さを調整できるようにした取り付け構造の一例として、特許文献２には、座部の側方に起立する下部支杆に、肘当てを備えた上部支杆を高さ調整可能に装着するとともに、上部支杆の高さ方向に複数の調整孔を形成し、上部支杆にこの調整孔との係合軸を設け、上部支杆側に設けた操作レバーにより係合軸と調整孔とが係脱可能になるようにした構造が開示されている。
【先行技術文献】
【特許文献】
【０００４】
【特許文献１】特開２００７−３２５６９６号公報
【特許文献２】特開平１０−９４４５１号公報
【考案の概要】
【考案が解決しようとする課題】
【０００５】
しかしながら、特許文献１の取り付け構造は、アームレストの高さが固定されてしまうため、とくに児童が使用する場合、成長に合わせてアームレストの高さを調整できないという問題がある。また、特許文献２によればアームレストの高さ調整は可能であるが、アームレスト本体の内部に高さ調整機構を設けているため、構造が複雑で部品点数が多く、製造コストが高くなるという問題がある。
【０００６】
本考案はこのような問題を解決するために提案されたものであり、脚柱部に座体の高さ調整用の係合部が形成された椅子において、該係合部を利用してアームレストを脚柱部に簡単に取り付けるようにし、アームレストの高さ調整ができるようにした椅子を提供することを目的とする。
また本考案は、簡単な構成でアームレストの高さ調整を可能とし、製造コストが安価な椅子を提供することを目的とする。
【課題を解決するための手段】
【０００７】
上記課題を解決するため、請求項１の考案にあっては、脚柱部に座体の高さ調整用の係合部が形成された椅子において、
アームレストを、前記座体高さ調整用係合部との係止部を有するアームレスト取付部材により前記脚柱部に着脱可能に取り付けたことを特徴とする。
【０００８】
ここでは、脚柱部に形成される座体高さ調整用係合部や、アームレスト取付部材の係止部の構成はとくに限定されるものではなく、アームレスト取付部材の係止部が脚柱部の係合部に係入した状態で、アームレストに応力が加わったときに容易に離脱しない構成であればよい。アームレスト取付部材の構成もアームレストを脚柱部に強固に固定できる構成であればとくに限定されるものではない。
【０００９】
また請求項２の考案にあっては、前記脚柱部の座体高さ調整用の係合部は、該脚柱部の高さ方向に複数形成されたスリットであることを特徴とする。
【００１０】
座体高さ調整用の係合部としてはスリットが多用されており、既設の係合部を利用することができるので製造コストを節約できる。
【００１１】
また請求項３の考案にあっては、前記アームレスト取付部材は、前記脚柱部を挟持する一対の固定金具からなり、一方の固定金具を前記アームレストに固定し、該固定金具と他方の固定金具と締着して前記脚柱部を挟持することを特徴とする。
【００１２】
このようなアームレスト取付部材は、一対の固定金具からなり、これらを締着するだけであるから構成が簡素で取り付け作業も簡単であり、しかもアームレストを脚柱部に確実に固定することができる。ここでの固定金具は脚柱部を挟持できる構成であればとくに限定されるものではない。
【００１３】
また請求項４の考案にあっては、前記アームレスト取付部材の各固定金具は、前記脚柱部を挟持する切欠部を有しており、一方の固定金具の切欠部に、前記座体高さ調整用係合部に係入する係止部を形成したことを特徴とする。
【００１４】
このようなアームレスト取付部材は、相似形の一対の固定金具で構成することができ、一方の固定金具に係合部を形成するだけであるから安価に製作できる。
【００１５】
また請求項５の考案にあっては、前記脚柱部は、座体を支持する上部杆部と該上下杆部を摺動可能に挿入する下部杆部からなり、前記上部杆部に前記座体高さ調整用の係合部が形成されていることを特徴とする。
【００１６】
このような脚柱部は、簡単な構成で座体の高さ調整ができるとともに、上部杆部の上下動により座体高さ調整用の係合部の位置も変わるため、座体の高さ調整に対応して最適な高さの位置にアームレストの取り付けができる。
【００１７】
また請求項６の考案にあっては、前記アームレストは、下端部に前記脚柱部との連結部を一体形成したフレーム体であり、該連結部に前記一方の固定金具を固定したことを特徴とする。
【００１８】
このようなアームレストは形状が簡素で安価に量産可能である。アームレストの全体形状はとくに限定されるものではなく、アームレストに適した形状が選択できる。また、連結部の形状も固定金具を安定に固定できる形状であればとくに限定されるものではない。
【００１９】
また請求項７の考案にあっては、前記座体は、左右両側部に前記脚柱部が立設された支持脚体で支持されていることを特徴とする。
【００２０】
このような支持脚体で座体を左右両側部で支持することにより、座体を安定して支持することができるとともに、アームレストを座体の左右両側部又は一側部に選択して取り付けることができる。
【００２１】
また請求項８の考案にあっては、前記アームレストの内側に補助パットを着脱可能に取り付けることを特徴とする。
【００２２】
この補助パットを取り付けることにより座体の幅を調整し、使用者の最適な姿勢保持をすることができる。補助パットはクッション性を有するものが良く、複数種の幅のものを準備しておけば、使用者に応じた最適の補助パットを取り付けることができる。
【００２３】
また請求項９の考案によれば、前記アームレストの上面部に肘掛部材を着脱可能に取り付けることを特徴とする。
【００２４】
肘当部材により着座したときに使用者の肘部が安定し、さらには幅広の肘当部材を取り付けると使用者の動きが規制されて姿勢保持にも役立つことになる。
【考案の効果】
【００２５】
本考案によれば、脚柱部に座体の高さ調整用の係合部が形成された椅子において、該係合部を利用してアームレストを脚柱部に簡単に取り付けることができ、アームレストの高さ調整を簡単に行うことができる。また、簡単な構成でアームレストの高さ調整を可能とし、製造コストも安価になる。さらに、上述したような各請求項の考案から派生する効果が得られる。
【図面の簡単な説明】
【００２６】
【図１】本考案に係る椅子の全体斜視図である。
【図２】アームレストの取り付ける状態を示す全体斜視図である。
【図３】脚柱部にアームレスト取付部材を取り付けるときの説明斜視図である。
【図４】アームレストを脚柱部に取り付けるときの説明斜視図である。
【図５】アームレストの正面図である。
【図６】アームレストの平面図である。
【図７】アームレストに補助パットを取り付けた状態の全体斜視図である。
【図８】アームレストに肘当部材を取り付けた状態の全体斜視図である。
【図９】アームレストに補助パットを取り付けるときの説明斜視図である。
【図１０】アームレストに肘当部材を取り付けるときの説明斜視図である。
【図１１】アームレストに補助パットと肘当部材を取り付けるときの説明斜視図である。
【考案を実施するための形態】
【００２７】
以下、本考案の実施形態を添付図面に基づいて説明する。図１は本考案に係る椅子の全体斜視図であり、この椅子は支持脚体１と、この支持脚体１に支持された座体２と、座体２の左右両側部に有するアームレスト３から構成されている。
【００２８】
座体２は、座板部２ａと、この座板部２ａに左右の連結杆部２ｂで連結された背もたれ部２ｃから構成されている。
【００２９】
支持脚体１は、左右の接地脚部４と、この接地脚部４の中央部に立設された脚柱部５を備えており、脚柱部５の下端部は連結杆部６で連結されている。また各脚柱部５は、座体２の下端部を支持する筒状の上部杆部５ａと、この上部杆部５ａを上下方向に摺動可能に挿入する筒状の下部杆部５ｂからなっており、上部杆部５ａには、図３に詳示すように横方向に延びるスリット形の座体高さ調整用係合部５ｃが高さ方向に複数形成されている。
【００３０】
各下部杆部５ｂの上端側部には座体の高さ調整装置９が装着されており、図示しないが、高さ調整装置９の内部に有する係合部材が所定高さの係合部５ｃと係合し、座体２を所定の高さで保持するようになっている。なお、座体２の高さを調節するときは、押釦９ａを押せば上部杆部５ａが上下方向に摺動可能となり、押釦９ａを離すと高さ調節９の係合部材が上部杆部５ａの対応する高さの係合部５ｃと係合することになる。
【００３１】
各アームレスト３は、図４〜図６に示すように下端部が開放した全体がリング形のフレーム体であり、水平状の上端部３ｂと湾曲状の両側部３ｃと両側部３ｃからの延長部である垂直状の連結部３ａとが一体成形されている。上端部３ｂには後述する肘当部材１１を固定するため複数のネジ穴３ｄが形成されている。
【００３２】
各アームレスト３は、アームレスト取付部材７により脚柱部５の上部杆部５ａに取り付けられている。アームレスト取付部材７は、図６に詳示すように一対の固定金具７ａ，７ｂの組み合わせからなっており、一方の固定金具７ａはアームレスト３の左右の連結部３ａに溶接等により固定されている。また、他方の固定金具７ｂは図２〜図４に示すように上部杆部５ａを挟んで固定金具７ａの反対側に配置される。
【００３３】
固定金具７ａ，７ｂは、断面コ字型（図３参照）であり、各金具の上下面部には上部杆部５を挟持する切欠部７ｃが形成され、固定金具７ｂ側の切欠部７ｃには上部杆部５ａの係合部５ｃに係入する爪状の係止部７ｄが形成されている。また、固定金具７ａ，７ｂの側面部には連結ボルト８を挿入するためのボルト挿入孔７ｅが開孔されている。
【００３４】
各アームレスト３を支持脚体１の脚柱部５に装着するに際しては、まず、上述のように座体高さ調整装置９の押釦９ａを押して下部杆部５ｂに挿入された上部杆部５ａを上下動させ、座体２を使用者に適した高さに調節する。
【００３５】
つぎに、アームレスト３をその取付部材７により上部杆部５ａの最適位置（通常は上から２番目の係合部５ｃの位置）の高さに取り付ける。すなわち、上部杆部５ａを間にしてアームレスト３に固定された一方の固定金具７ａと他方の固定金具７ｂを配置し、固定金具７ｂの係止部７ｂを上部杆部５ａの係合部５ｃに係入するとともに両金具の切欠部７ｃで上部杆部５ａを挟持するように両金具を突き合せる。この状態で固定金具７ａ側からボルト挿入孔７ｅに連結ボルト８を挿入し、固定金具７ｂ側のナット８ａと螺合して両金具を締着する。
【００３６】
これにより、アームレスト３は脚柱部５の上部杆部５ａに強固に固着されるとともに、固定金具７ｂの係止部７ｄが上部杆部５ａの係合部５ｃに係入するため、アームレスト３の上下方向の動きも阻止される。アームレスト３の取り付け位置（高さ）を調節するときは、固定金具７ａ，７ｂを締着する連結ボルト８を緩め、両金具を上部杆部５ａの上下方向に移動させた後、固定金具７ｂの係止部７ｂを上部杆部５ａの適当な高さの係合部５ｃに係入し、連結ボルト８を再度締め付ける。なお、アームレスト３は使用者の身体特性、障害特性等に応じて座体２の左右両側部又は一側部に取り付けることができる。
【００３７】
図７は、各アームレスト３の内側に補助パット（体幹パット）１０を取り付けた状態を示しており、図８はアームレスト３の上端部３ｂに肘当部材１１を取り付けた状態を示している。補助パット１０はクッション性を有しており、使用者の姿勢保持のために取り付けられる。また肘当部材１１は木材、プラスチック等で製作されており、幅広タイプのものを使用すれば姿勢保持のサポートにもなる。
【００３８】
補助パット１０には、図９に示すように裏面側の上端部に筒輪部１０ａが形成され下端部に止着帯１０ｂの一部が固着されている。この補助パット１０を取り付けるに際しては、筒輪部１０ａをアームレスト３の上端部３ｂに巻き付け、止着帯１０ｂを連結部３ａに巻き付けて、それぞれを着脱テープ等の止着具で止着する。補助パット１０は一側部のアームレスト３だけに取り付けてもよい。
【００３９】
肘当部材１１をアームレスト３に取り付けるに際しては、図１０に示すようにアームレスト３の上端部３ｂに形成されたネジ穴３ｄに下方側から止めネジ１１ａを挿通し、肘当部材１１の下面部に形成されたネジ穴（図示せず）に螺入して固定する。この肘当部材１１も一側部のアームレスト３にだけ取り付けてもよい。
【００４０】
図１１は、アームレスト３に補助パット１０と肘当部材１１の両方を取り付けた状態を示している。取り付け方法は、先に補助パット１０を前述の方法で取り付けた後に、肘当部材１１を補助パット１０の筒輪部１０ａを覆うようにして前述の方法で取り付ける。補助パット１０と肘当部材１１は左右両側のアームレスト３に取り付けてもよく、あるいは一側部のアームレスト３に補助パット１０だけを取り付けるなど、その組み合わせは任意に選択できる。
【００４１】
上述した実施態様は、本考案の一例を説明したにすぎず、たとえば支持脚体１の構成、脚柱部５を上下動させる構成は、アームレストを取り付けられるような構成であれば図示したものに限定されることはない。また、アームレスト取付部材７の構成もアームレスト３構成、脚柱部５の構成に対応した着脱機構を採用することができる。その他の構成も本発明の要旨の範囲内で任意に変更することができる。
【符号の説明】
【００４２】
１は支持脚体
２は座体
３はアームレスト
５は脚柱部
５ａは上部杆部
５ｂは下部杆部
５ｃは係合部
７はアームレスト取付部材
７ａ，７ｂは固定金具
７ｃは切欠部
７ｄは係止部
１０は補助パット
１１は肘当部材
【図１】
0003149740.tif 000003
【図２】
0003149740.tif 000004
【図３】
0003149740.tif 000005
【図４】
0003149740.tif 000006
【図５】
0003149740.tif 000007
【図６】
0003149740.tif 000008
【図７】
0003149740.tif 000009
【図８】
0003149740.tif 000010
【図９】
0003149740.tif 000011
【図１０】
0003149740.tif 000012
【図１１】
0003149740.tif 000013